(57)【要約】【課題】  液体燃料の補給時だけでなく、石油ファンヒータに装着した使用中でも液体燃料量を視認可能とする。【解決手段】  筐体１０に、燃料タンク１２を装着するために上面が開口した収容室１３を形成する。上面に補給口３が設けられた燃料タンク１２の上面に、液体燃料量を表示するための表示部２１を設ける。燃料タンク１２の上面は外部に露出し、筐体１０の上面の一部を構成する。表示部２１は、立体的な形態であり、上方および側方から見える。燃料タンク１２を取り出して液体燃料を補給するとき、上方から表示部２１を見ながら補給できる。【選択図】  図１
2006064352.tif 000002
【特許請求の範囲】
【請求項１】
上面に補給口が設けられた可搬式燃料タンクであって、前記上面に、タンク内の液体燃料量を表示する表示部が設けられたことを特徴とする燃料タンク。
【請求項２】
液体燃料燃焼装置の筐体に着脱可能に装着され、上面に補給口が設けられた可搬式燃料タンクであって、前記上面に、タンク内の液体燃料量を表示する表示部が設けられ、前記上面は、前記筐体の上面の一部を構成することを特徴とする燃料タンク。
【請求項３】
表示部は、異なる方向から視認できるように立体的な形態を有することを特徴とする請求項１または２記載の燃料タンク。
【請求項４】
表示部は、指針と目盛りを有し、前記指針は、上方および側方から視認できるように立体的に形成され、前記目盛りは、各方向に対応して複数箇所に配置されたことを特徴とする請求項１または２記載の燃料タンク。
【請求項５】
表示部は、液体燃料量に応じて移動する指針を有し、該指針は、弾性を有する形状とされ、該指針の移動範囲が規定され、指針が前記移動範囲を超えて移動しようとするとき、前記指針は弾性変形することを特徴とする請求項１、２または３記載の燃料タンク。
【請求項６】
指針は、先端部が表示部に設けられた目盛りに沿って移動するように基端部を中心として回転可能とされ、前記先端部と基端部とを結ぶ中間部が、弾性変形可能なように前記先端部および基端部よりも薄肉とされたことを特徴とする請求項５記載の燃料タンク。
【請求項７】
タンク内の液体燃料量を検出する液面検出装置が設けられ、該液面検出装置は、液体燃料の液面に応じて上下するフロートと、該フロートの上下に連動して回転する螺旋板とを備え、該螺旋板が、指針の基端部に連結され、前記フロートの上下に応じて前記指針が回転移動することを特徴とする請求項６記載の燃料タンク。
【請求項８】
筐体に、上面が開口した収容室が形成され、該収容室に、上面に補給口が設けられた可搬式燃料タンクが着脱可能に装着され、該燃料タンクの上面に、上方および側方から視認できるように燃料タンク内の液体燃料量を表示する表示部が設けられ、前記燃料タンクの上面は、前記筐体の上面の一部を構成することを特徴とする液体燃料燃焼装置。
【発明の詳細な説明】
【技術分野】
【０００１】
本発明は、持ち運びができる燃料タンクに関し、特に液体燃料燃焼装置に用いられる燃料タンクに関する。
【背景技術】
【０００２】
石油ファンヒータ、石油ストーブ等の液体燃料燃焼装置における燃料タンクとして、灯油等の液体燃料を補給する際に、燃料タンクを上下にひっくり返す必要がなく、簡単に補給作業を行えるものが特許文献１に開示されている。
【０００３】
燃料タンクは、図９に示すように、タンク部１とタンク部１の上方を覆う上板２とから構成される。タンク部１の上面に補給口３が設けられ、上板２に、補給口３を塞ぐ外蓋４が開閉自在に取り付けられている。そして、上板２に、持ち運び用の取っ手５が開閉自在に取り付けられている。タンク部１の側面には、燃料表示窓６が設けられ、外部からタンク内の液体燃料量を確認できるようになっている。
【特許文献１】特開２００２−３７２２３１号公報
【発明の開示】
【発明が解決しようとする課題】
【０００４】
液体燃料を補給するとき、燃料タンクは液体燃料燃焼装置の筐体から取り出される。このとき、液体燃料が溢れ出さないように、量を確認しながらタンク上面の補給口から液体燃料を補給する。しかし、表示窓がタンク部の側面にあるので、補給しながら表示窓を確認するとき、体を中腰にし、斜めから視認しなければならない困難さがある。また、燃料タンクを液体燃料燃焼装置に装着したとき、燃料タンクは筐体内に収容される。そのため、燃料タンクの表示窓は外部から視認できない。使用中において、電気的な液面検知方式によるランプ表示をしており、タンク内の残量を詳細に視認できる燃料表示の機能を果たしていない。
【０００５】
本発明は、上記に鑑み、液体燃料の補給時だけでなく、使用中でも液体燃料量を視認できる燃料タンクの提供を目的とする。
【課題を解決するための手段】
【０００６】
本発明は、上面に補給口が設けられた可搬式燃料タンクであって、前記上面に、タンク内の液体燃料量を表示する表示部が設けられたものである。そして、液体燃料燃焼装置の筐体に着脱可能に装着され、燃料タンクの上面は、前記筐体の上面の一部を構成する。
【０００７】
上面から液体燃料を補給する構造の燃料タンクでは、上面に表示部があれば、この表示部を見ながら液体燃料を補給できる。そのため、液体燃料を正確に満杯まで入れることができ、溢れさせてしまうことはない。
【０００８】
液体燃料燃焼装置の筐体に燃料タンクを装着したとき、燃料タンクの上面は筐体の上面の一部となるので、表示部は外部に露出する。したがって、タンク内の液体燃料量を表示部によって確認できる。
【０００９】
表示部としては、異なる方向から視認できるように立体的な形態を有するものとする。燃料タンクの上面に突出するように表示部を形成すればよい。具体的には、表示部は、互いに相対的に移動する指針と目盛りとを有し、前記指針は、上方および側方から視認できるように立体的に形成され、前記目盛りは、各方向に対応して複数箇所に配置される。この場合、指針が移動する。あるいは、目盛りを立体的な形状にしてもよく、指針あるいは目盛りのいずれか一方が移動する。これによって、指針と目盛りとを上方からでも側方からでも視認でき、タンク内の液体燃料量をどこからでも確認可能となる。
【００１０】
そして、指針は、弾性を有する形状とされ、指針の移動範囲が規定される。指針は、液体燃料量に応じて移動し、空状態から満量状態までを指し示す。この指針が移動範囲を超えて移動しようとするとき、指針は弾性変形する。
【００１１】
すなわち、移動範囲が規定されているということは、指針が移動範囲を越えないようにストッパにより指針の移動が規制される。これを越えて移動させるような力が指針にかかると、指針は弾性変形することによって、加わった力を吸収してしまい、指針の損傷を防ぐ。
【００１２】
具体的には、指針は、先端部が表示部に設けられた目盛りに沿って移動するように基端部を中心として回転可能とされ、前記先端部と基端部とを結ぶ中間部が、弾性変形可能なように前記先端部および基端部よりも薄肉とされる。このような中間部を形成することにより、弾性を有する形状となる。そして、中間部が撓むことにより、指針に加わった力や衝撃が吸収される。力が加わらなくなると、指針は、弾性力により元の形状に復元する。
【００１３】
タンク内の液体燃料量を検出する液面検出装置が設けられ、該液面検出装置は、液体燃料の液面に応じて上下するフロートと、該フロートの上下に連動して回転する螺旋板とを備えている。螺旋板が、指針の基端部に連結され、前記フロートの上下に応じて前記指針が回転移動する。
【００１４】
指針の基端部が、螺旋板に対して位置ずれして取り付けらていると、フロートの上下に伴って指針が移動範囲を越えて移動しようとするが、指針の移動が規制されているので、指針が空または満量位置のいずれかのストッパに当たり、フロートが移動しなくなるといった事態が生じる。しかし、指針が弾性変形することにより、位置ずれに起因するフロートの動きを阻害するといった弊害をなくすことができる。
【００１５】
また、指針が弾性変形しにくい場合、指針の移動範囲をストッパ間に納める必要があるが、弾性を持たせることにより、空状態から満量状態までをフルスケールで表示することができる。
【発明の効果】
【００１６】
本発明によると、燃料タンクの上面に表示部を設けることにより、持ち運んで液体燃料を補給するとき、補給しながら液体燃料量を確実に確認できる。液体燃料燃焼装置に装着して使用するとき、燃料タンクの上面が外部に露出させることにより、表示部を視認できる。このとき、燃料タンクが筐体の上面の一部となり、筐体に表示部や表示用の窓を設ける必要がなくなり、構造が多方面で複雑になることがなく、部品点数の削減を図れる。
【発明を実施するための最良の形態】
【００１７】
本実施形態の石油ファンヒータを図１、２に示す。１０は前面板１０ａ、上面板１０ｂおよび背面板によって形成された箱形の筐体であり、置台１１に載置される。筐体１０には、バーナ、ファン、イオン発生装置等が内装されている。筐体１０には、可搬式燃料タンク１２を収容するための収容室１３が形成されている。上面板１０ｂに、収容室１３に通じる開口が形成され、収容室１３は上面開放となっている。なお、図中、１５は操作部、１６は温風吹出口、１７は正負イオンの吹出口、１８は温度センサ、１９は燃焼状態の確認窓、２０は液体燃料の残量警告灯である。
【００１８】
燃料タンク１２は、図９に示した従来のものと基本的な構造は同じであり、タンク部１と上板２とから構成され、上部から液体燃料を送出するとともに補給する構造とされる。そして、上板２に、タンク内の液体燃料量を表示するための表示部２１が設けられている。
【００１９】
表示部２１は、図３、４に示すように、液体燃料量に応じて移動する指針２２と、指針２２を移動可能に支持するホルダと、ホルダに印された目盛り２３とからなる。
【００２０】
指針２２は、上側に向かって突出するように立体的に形成される。具体的には、指針２２は、先端部２２ａが上側に向かって折り曲げられたＬ字状の棒材とされる。指針２２は、基端部２２ｂを中心にして回動する。
【００２１】
ホルダは、上板に取り付けられるベース２５と、ベース２５に被せられるカバー２６とからなる。カバー２６には複数の爪２７が形成され、爪２７がベース２５の周縁に引っ掛けられることにより、ベース２５とカバー２６とが一体的に係合され、指針２２が回動するための空間が形成される。
【００２２】
カバー２６は、平面視扇形に形成され、その前側が盛り上がり、窓部２８とされる。窓部２８は、前面から上面にわたって形成され、立体的な形態とされる。カバー２６の窓部２８より後側は、上板２に覆われ、外部に露出していない。カバー２６は、透光性樹脂によって成形され、窓部２８を通じてホルダの内部が外から見えるようになっている。なお、窓部２８だけを透光性樹脂によって形成してもよい。
【００２３】
カバー２６の内側には、目盛り用の縦壁３０が形成される。縦壁３０は、窓部２８に下側に向かって垂直に形成され、側方から視認できる。縦壁３０には、図３に示すような文字等が印刷されたフィルムが貼り付けられる。これが側方用の目盛り２３となる。また、窓部２８の上面にも、同様に文字等が印刷されたフィルムが貼り付けられ、これが上方用の目盛り２３となる。なお、目盛り２３は、縦壁３０や窓部２８に直接描いてもよい。
【００２４】
指針２２の基端部２２ｂは、支軸３１に嵌め込まれている。支軸３１は、ベース２５に形成された貫通孔３２に挿入され、回転自在に支持される。縦壁３０と窓部２８の前面との間に、指針２２の先端部２２ａが位置しており、指針２２は縦壁３０に沿って回動する。外部から窓部２８を見たとき、指針２２と目盛り２３とが一緒に見える。なお、３３は指針２２の回動を規制するストッパであり、目盛り２３の空側および満量側にそれぞれ設けられ、指針２２の移動範囲を規定している。
【００２５】
燃料タンク１２は、図５、６に示すように、タンク内の液体燃料量を検出する液面検出装置と、液体燃料の残量が少なくなったことを検出する燃料残量検知装置と、タンク内の水の有無を検知する水検知装置とを備えている。
【００２６】
タンク部１の上面に形成された開口４０に、口金４１が固定され、口金４１にベース２５の下部がシール材を介して嵌め込まれる。タンク部１の底面に開口４２が形成され、開口４２を塞ぐように水受け皿４３が設けられている。水受け皿４３は、タンク部１の底面の外側にゴム製のパッキン４４を介して取り付けられる。水受け皿４３は、ステンレス鋼板からなり、パッキン４４によりタンク部１とは電気的に絶縁されている。
【００２７】
液面検出装置は、液体燃料の液面に応じて上下するフロート４５と、フロート４５を上下方向に案内するガイドロッド４６と、フロート４５の上下に連動して表示部２１に液面位置を伝えるための螺旋板４７とからなる。ガイドロッド４６は、フロート４５を貫通しており、ガイドロッド４６の上端は、ベース２５に形成された保持筒４８に挿入されて、保持される。ガイドロッド４６の下端は、Ｌ字形に折り曲げられて、支持台４９に係合され、回転しないように支持される。支持台４９は、水受け皿４３内に取り付けられている。
【００２８】
螺旋板４７は、螺旋状にねじられた細長い平板からなり、フロート４５の縦溝５０に挿通される。螺旋板４７の上端が支軸３１の溝に嵌め込まれ、螺旋板４７と指針２２とが機械的に連結される。螺旋板４７の下端は、針状に形成され、支持台４９に載置されている。これにより、螺旋板４７はタンク内において回転自在に支持され、螺旋板４７の回転に伴って支軸３１が回転し、指針２２が目盛り２３に沿って回動することになる。
【００２９】
フロート４５は、燃料タンク１２内の液体燃料中に浮かんでおり、液面の高さが変化すると、フロート４５も上下する。フロート４５の上下に伴って、螺旋板４７が回転する。すると、支軸３１を介して指針２２が回動し、液面位置に応じた目盛り２３を指し示す。
【００３０】
燃料タンク１２が筐体１０に収容されているとき、上板２は外部に露出しており、筐体１０の上面の一部を構成する。上板２に設けられた表示部２１も外部に露出し、その表示を視認できる。しかも、表示部２１は上板２から突出しているので、上方からだけでなく、前面や横からといった側方からも指針２２と目盛り２３を見ることができる。したがって、タンク内の液体燃料量をどの方向からでも容易に確認できる。
【００３１】
そして、液体燃料が少なくなると、燃料タンク１２を筐体１０から取り出し、液体燃料を補給する。燃料タンク１２の上面の補給口３から補給するとき、人の視点は燃料タンク１２の上方にあるが、表示部２１が燃料タンク１２の上面にあるので、上方から視認できる。そのため、補給量を確認でき、液体燃料の入れすぎを防止でき、液体燃料が溢れ出すことはない。
【００３２】
燃料残量検知装置は、磁石５１とこの磁石５１に反応するリードスイッチ５２とからなる非接触式のセンサが用いられる。磁石５１は、フロート４５の下部に取り付けられたフック５３に保持されて、フロート４５の下方に吊り下げられている。リードスイッチ５２は、燃料タンク１２を載置するタンク台５４にタンク部１と対向するように設置される。
【００３３】
燃料タンク１２内の液体燃料が減ってきて、フロート４５が下降してくると、磁石５１は水受け皿４３内に位置して、リードスイッチ５２に近接する。すると、リードスイッチ５２がオンし、液体燃料の残量が少なくなったことを検知でき、残量警告灯２０が点灯する。ここで、リードスイッチ５２のオンするタイミングは、磁石５１とフロート４５との距離によって決定できる。報知すべき液体燃料の残量に合わせて、フック５３の長さを調整すればよい。
【００３４】
このように、燃料残量検知装置の構成部材として液面検出装置のフロート４５を利用することにより、各装置の構成部材を共用でき、部品点数を減らすことができる。
【００３５】
水検知装置は、液体燃料と水との電気伝導度の差を利用して、水の有無を電気的に検知する。液体燃料よりも比重の重い水は水受け皿４３に溜まるので、水受け皿４３に接触する第１電極６０と、タンク部１に接触する第２電極６１とが設けられる。第１電極６０は、タンク台５４に水受け皿４３に向かって突設され、第２電極６１は、タンク台５４にタンク部１の底面に向かって突設される。
【００３６】
両電極６０、６１が電源に接続され、第１電極６０、水受け皿４３、タンク部１内の水および液体燃料、タンク部１の底面、第２電極６１による閉回路が形成され、この閉回路に流れる微電流から水の有無を検知する。燃料タンク１２内に水があると、比重の重い水は水受け皿４３に溜まる。すると、閉回路の抵抗が変化し、この回路を流れる電流も変化して、水の存在を検知できる。
【００３７】
燃料タンク１２は上部から液体燃料を送出する構造であるので、水が混入しても燃料タンク１２の底に溜まり、液体燃料を送出するとき水が一緒に供給されることはない。したがって、運転中に水の存在が検知されても、そのまま運転を続行しても差し支えない。液体燃料が少なくなってから水抜きを行うことができ、水抜きのために液体燃料を無用に廃棄する必要がなくなる。
【００３８】
ここで、液面検出装置において、正確にタンク内の液体燃料量を検出するために、フロート４５に対して螺旋板４７がほぼ平行な状態を保たれている。すなわち、螺旋板４７はフロート４５の縦溝５０に設けられたスリットに挿通され、螺旋板４７はがたつかないように保持される。したがって、フロート４５の上下動に対して螺旋板４７はがたつくことなく回転するので、指針２２がぶれることを防止でき、正確に目盛り２３を指し示すことができる。
【００３９】
指針２２は、螺旋板４７に支軸３１を介して連結されており、フロート４５の位置に応じて回転する螺旋板４７に連動して、指針２２も支軸３１を中心にして回動する。このとき、図７に示すように、指針２２の移動は両側のストッパ３３によって規制される。指針２２がストッパ３３に当接したとき、指針２２の先端部２２ａは、これ以上移動しない。しかし、螺旋板４７がさらに回転したとき、指針２２の基端部２２ｂは回転する。
【００４０】
そこで、図８に示すように、指針２２は弾性を有する形状とされ、弾性変形可能とされる。指針２２の基端部２２ｂは、円筒状に形成され、先端部２２ａは厚みのある平板状に形成され、基端部２２ｂに対して垂直に立ち上がっている。基端部２２ｂと先端部２２ａとを結ぶ中間部２２ｃは、直線状に形成され、基端部２２ｂおよび先端部２２ａよりも薄肉の平板とされる。中間部２２ｃの中央に、円柱部２２ｄが形成され、ここだけ厚肉になっている。
【００４１】
指針２２の先端部２２ａがストッパ３３に当接したとき、さらにフロート４５の上下動により螺旋板４７が回転すると、基端部２２ｂは回転する。指針２２の先端部２２ａは移動しないが、指針２２の基端部２２ｂと円柱部２２ｄとの間の部分が曲がる。円柱部２２ｄと先端部２２ａとの間の部分では、ほとんど曲がらない。そして、螺旋板４７が逆方向に回転すると、指針２２の弾性力により、中間部２２ｃは元の直線状に復元する。このように、指針２２が弾性変形することにより、指針２２に無理な力がかかっても折れることはなく、指針２２の損傷を防げる。
【００４２】
指針２２の円柱部２２ｄは応力集中点となり、指針２２の先端部２２ａの移動が規制されたとき、螺旋板４７からの応力が基端部２２ｂの先端と円柱部２２ｄに分散してかかるようになる。したがって、この円柱部２２ｄの存在により、指針２２が折れ曲ってしまうことを防げる。また、指針２２が大きく撓むと、先端部２２ａが基端部側に近づく。すると、先端部２２ａが縦壁３０に当たって、弾性変形できなくなり、指針２２に過大な負荷がかかるが、円柱部２２ｄが存在すると、円柱部２２ｄより先端側の撓みがほとんどないので、先端部２２ａは縦壁３０に近づいて当たることはなく、先端部２２ａにおける損傷を防げる。
【００４３】
指針２２は、その基端部２２ｂを支軸３１に嵌め込んでベース２５に取り付けられる。この取り付け時に指針２２の基端部２２ｂと支軸３１との位置ずれがあると、フロート４５が上限位置あるいは下限位置に達する前に、上記のように指針２２の先端部２２ａはストッパ３３に当接して、指針２２の移動が規制される事態が発生する。指針２２の移動が規制されてしまうと、螺旋板４７の回転も規制され、フロート４５が上下できなくなる。しかし、指針２２が弾性変形可能であるので、螺旋板４７の回転は規制されず、フロート４５がスムーズに上下し、フロート４５が上下しなくなるといった現象を防止できる。
【００４４】
このように、指針２２の取り付け時に位置ずれがあると、フロート４５の動きが悪くなることがあり、この位置ずれによる指針２２の動きとフロート４５の動きとにずれが生じる。指針２２が弾性変形することにより、指針２２の先端部２２ａと基端部２２ｂとのずれを吸収でき、フロート４５の動きを妨げない。
【００４５】
また、燃料タンク１２が空のとき、燃料タンク１２を上下逆にすると、フロート４５が急速に移動する。すると、指針２２も急速に移動し、ストッパ３３に衝突することがある。このとき、指針２２が弾性変形することにより、この衝突時の衝撃を緩和でき、指針２２の損傷を防止できる。
【００４６】
なお、本発明は、上記実施形態に限定されるものではなく、本発明の範囲内で上記実施形態に多くの修正および変更を加え得ることは勿論である。表示部を半球状に形成して、その球面上に、最頂点を中心にして経線のように目盛りを印す。指針は半円状に形成され、最頂点を中心に回転するようにする。指針は、支軸を介して螺旋板に連結される。このような形態にすれば、上方のみならず、前方や後方からも視認できる。また、指針と目盛りとは相対的に移動する関係にあればよく、指針を固定して、目盛り側を回動させる構造としてもよい。
【００４７】
燃料タンクを石油ファンヒータ等の液体燃料燃焼装置に使用したが、携帯用の燃料タンクや液体用容器として使用してもよい。
【図面の簡単な説明】
【００４８】
【図１】本発明の石油ファンヒータの斜視図
【図２】燃料タンクを取り外したときの石油ファンヒータの斜視図
【図３】表示部における表示例を示す図
【図４】表示部の断面図
【図５】燃料タンクの断面図
【図６】燃料タンクの底面付近の断面図
【図７】指針を回転自在に支持するベースの平面図
【図８】指針を示し、（ａ）は正面図、（ｂ）は断面図、（ｃ）は平面図
【図９】従来の燃料タンクの斜視図
【符号の説明】
【００４９】
１    タンク部
２    上板
３    補給口
１０    筐体
１２    燃料タンク
１３    収容室
２１    表示部
２２    指針
２３    目盛り
４３    水受け皿
４５    フロート
４６    ガイドロッド
４７    螺旋板
５１    磁石
５２    リードスイッチ
６０    第１電極
６１    第２電極
【図１】
2006064352.tif 000003
【図２】
2006064352.tif 000004
【図３】
2006064352.tif 000005
【図４】
2006064352.tif 000006
【図５】
2006064352.tif 000007
【図６】
2006064352.tif 000008
【図７】
2006064352.tif 000009
【図８】
2006064352.tif 000010
【図９】
2006064352.tif 000011
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
液体燃料燃焼装置の筐体に着脱可能に装着され、装着状態において上面が前記液体燃料燃焼装置の上面の一部を構成する可搬式燃料タンクであって、
当該可搬式燃料タンクの上面に、液体燃料を補給するための補給口と、タンク内の液体燃料量を表示する表示部とが設けられている、可搬式燃料タンク。
【請求項２】
前記表示部は、上方および側方からの視認が可能となるように、液体燃料量に応じて移動する折り曲げられた形状の指針と、前記折り曲げられた形状の指針に対応して複数箇所に配置された目盛りとを有する、請求項１に記載の可搬式燃料タンク。
【請求項３】
前記表示部は、液体燃料量に応じて移動する指針を有し、
前記指針は、弾性を有する形状とされるとともに、前記指針の両側に設けられたストッパによってその移動範囲が規定され、
規定された前記移動範囲を超えて前記指針が移動しようとするとき、前記指針が前記ストッパに当接することによって弾性変形する、請求項１に記載の可搬式燃料タンク。
【請求項４】
前記指針は、先端部が前記表示部に設けられた目盛りに沿って移動するように基端部を中心として回転可能に構成され、
前記先端部と前記基端部とを結ぶ中間部が弾性変形可能となるように、前期中間部が前記先端部および前記基端部よりも薄肉とされている、請求項３に記載の可搬式燃料タンク。
【請求項５】
前記タンク内の液体燃料量を検出する液面検出装置が設けられ、
前記液面検出装置は、液体燃料の液面に応じて上下動するフロートと、前記フロートの上下動に連動して回転する螺旋板とを備え、
前記螺旋板が、前記指針の基端部に連結されることにより、前記フロートの上下動に応じて前記指針が回転移動する、請求項４に記載の可搬式燃料タンク。
【請求項６】
上面が開口した収容室が形成された筐体と、
前記収容室に着脱可能に装着される可搬式燃料タンクとを備え、
前記収容室に前記可搬式燃料タンクが装着された状態において、前記可搬式燃料タンクの上面は前記筐体の上面の一部を構成し、
前記可搬式燃料タンクの上面に、液体燃料を補給するための補給口と、タンク内の液体燃料量を表示する表示部とが設けられている、液体燃料燃焼装置。